【手続補正書】
【提出日】平成16年11月24日(2004.11.24)
【手続補正１】
【補正対象書類名】明細書
【補正対象項目名】特許請求の範囲
【補正方法】変更
【補正の内容】
【特許請求の範囲】
【請求項１】
指定情報により指定されたデータを外部装置から取得してきて、当該データに基づいて印刷を行う印刷方法であって、
前記指定情報を保存するか、前記指定情報により指定されたデータを保存するかを設定する設定ステップと、
前記指定情報を保存すると設定されているか、前記指定情報により指定されたデータを保存すると設定されているかを判定する判定ステップと、
前記指定情報を保存すると設定されていると判定された場合には、当該指定情報を保存し、前記指定情報により指定されたデータを保存すると設定されていると判定された場合には、当該指定情報により指定されたデータを取得して、当該データを保存する保存ステップとを有することを特徴とする印刷方法。
【請求項２】
前記設定ステップは、ドメイン毎に、前記指定情報を保存するか、前記指定情報により指定されたデータを保存するかを設定することを特徴とする請求項１に記載の印刷方法。
【請求項３】
印刷データを取得する取得ステップと、
取得された印刷データに前記指定情報が含まれているか否かを判定する指定情報判定ステップとを有し、
前記保存ステップは、前記指定情報を保存すると設定されていると判定された場合には、当該指定情報を保存し、前記指定情報により指定されたデータを保存すると設定されていると判定された場合には、当該指定情報により指定されたデータを取得して、当該データを保存することを特徴とする請求項１或いは２に記載の印刷方法。
【請求項４】
指定情報により指定されたデータを外部装置から取得してきて、当該データに基づいて印刷を行う印刷装置であって、
前記指定情報を保存するか、前記指定情報により指定されたデータを保存するかを設定する設定手段と、
前記指定情報を保存すると設定されているか、前記指定情報により指定されたデータを保存すると設定されているかを判定する判定手段と、
前記指定情報を保存すると設定されていると判定された場合には、当該指定情報を保存し、前記指定情報により指定されたデータを保存すると設定されていると判定された場合には、当該指定情報により指定されたデータを取得して、当該データを保存する保存手段とを有することを特徴とする印刷装置。
【請求項５】
前記設定手段は、ドメイン毎に、前記指定情報を保存するか、前記指定情報により指定されたデータを保存するかを設定することを特徴とする請求項４に記載の印刷装置。
【請求項６】
印刷データを取得する取得手段と、
取得された印刷データに前記指定情報が含まれているか否かを判定する指定情報判定手段とを有し、
前記保存手段は、前記指定情報を保存すると設定されていると判定された場合には、当該指定情報を保存し、前記指定情報により指定されたデータを保存すると設定されていると判定された場合には、当該指定情報により指定されたデータを取得して、当該データを保存することを特徴とする請求項４或いは５に記載の印刷装置。
【請求項７】
指定情報により指定されたデータを外部装置から取得してきて、当該データに基づいて印刷を行う印刷装置を制御するコンピュータ読み取り可能な制御プログラムであって、
前記指定情報を保存するか、前記指定情報により指定されたデータを保存するかを設定する設定ステップと、
前記指定情報を保存すると設定されているか、前記指定情報により指定されたデータを保存すると設定されているかを判定する判定ステップと、
前記指定情報を保存すると設定されていると判定された場合には、当該指定情報を保存し、前記指定情報により指定されたデータを保存すると設定されていると判定された場合には、当該指定情報により指定されたデータを取得して、当該データを保存する保存ステップとをコンピュータに実行させるためのプログラムコードから成ることを特徴とする印刷装置の制御プログラム。
【請求項８】
前記設定ステップは、ドメイン毎に、前記指定情報を保存するか、前記指定情報により指定されたデータを保存するかを設定することを特徴とする請求項７に記載の印刷装置の制御プログラム。
【請求項９】
印刷データを取得する取得ステップと、取得された印刷データに前記指定情報が含まれているか否かを判定する指定情報判定ステップとをコンピュータに実行させるためのプログラムコードから成り、
前記保存ステップは、前記指定情報を保存すると設定されていると判定された場合には、当該指定情報を保存し、前記指定情報により指定されたデータを保存すると設定されていると判定された場合には、当該指定情報により指定されたデータを取得して、当該データを保存することを特徴とする請求項７或いは８に記載の印刷装置の制御プログラム。
【請求項１０】
請求項７乃至９に記載の印刷装置の制御プログラムを格納したことを特徴とする記憶媒体。
【手続補正２】
【補正対象書類名】明細書
【補正対象項目名】０００５
【補正方法】変更
【補正の内容】
【０００５】
【課題を解決するための手段】
上記目的を達成するために本発明の印刷方法は、指定情報により指定されたデータを外部装置から取得してきて、当該データに基づいて印刷を行う印刷方法であって、前記指定情報を保存するか、前記指定情報により指定されたデータを保存するかを設定する設定ステップと、前記指定情報を保存すると設定されているか、前記指定情報により指定されたデータを保存すると設定されているかを判定する判定ステップと、前記指定情報を保存すると設定されていると判定された場合には、当該指定情報を保存し、前記指定情報により指定されたデータを保存すると設定されていると判定された場合には、当該指定情報により指定されたデータを取得して、当該データを保存する保存ステップとを有することを特徴とする。
【手続補正３】
【補正対象書類名】明細書
【補正対象項目名】０００６
【補正方法】変更
【補正の内容】
【０００６】
また、上記目的を達成するために本発明の印刷装置は、指定情報により指定されたデータを外部装置から取得してきて、当該データに基づいて印刷を行う印刷装置であって、前記指定情報を保存するか、前記指定情報により指定されたデータを保存するかを設定する設定手段と、前記指定情報を保存すると設定されているか、前記指定情報により指定されたデータを保存すると設定されているかを判定する判定手段と、前記指定情報を保存すると設定されていると判定された場合には、当該指定情報を保存し、前記指定情報により指定されたデータを保存すると設定されていると判定された場合には、当該指定情報により指定されたデータを取得して、当該データを保存する保存手段とを有することを特徴とする。
【手続補正４】
【補正対象書類名】明細書
【補正対象項目名】０００７
【補正方法】変更
【補正の内容】
【０００７】
また、上記目的を達成するために本発明の印刷装置の制御プログラムは、指定情報により指定されたデータを外部装置から取得してきて、当該データに基づいて印刷を行う印刷装置を制御するコンピュータ読み取り可能な制御プログラムであって、前記指定情報を保存するか、前記指定情報により指定されたデータを保存するかを設定する設定ステップと、前記指定情報を保存すると設定されているか、前記指定情報により指定されたデータを保存すると設定されているかを判定する判定ステップと、前記指定情報を保存すると設定されていると判定された場合には、当該指定情報を保存し、前記指定情報により指定されたデータを保存すると設定されていると判定された場合には、当該指定情報により指定されたデータを取得して、当該データを保存する保存ステップとをコンピュータに実行させるためのプログラムコードから成ることを特徴とする。